【誤訳訂正書】
【提出日】平成19年6月20日(2007.6.20)
【誤訳訂正１】
【訂正対象書類名】特許請求の範囲
【訂正対象項目名】全文
【訂正方法】変更
【訂正の内容】
【特許請求の範囲】
【請求項１】
マルチメディア放送／マルチキャストサービス（ＭＢＭＳ）を提供する通信システムで端末がヘッダー復元動作を再開するための方法であって、
前記ＭＢＭＳを受信する前記端末が、当該端末の以前セルから新たなセルへの移動を検出する段階と、
前記端末が、前記以前セルで使用される以前ヘッダー復元コンテキスト情報をコピーして貯蔵する段階と、
前記端末が、前記以前ヘッダー復元コンテキスト情報を更新するために、前記ＭＢＭＳサービスのためのパケットデータのヘッダー復元のためのダイナミックパート初期化及び更新（ＩＲ−ＤＹＮ）パケットが受信されるまで待機する段階と、
前記端末が、前記ＩＲ−ＤＹＮパケットが受信されると、前記ＩＲ−ＤＹＮパケットを用いて前記以前ヘッダー復元コンテキスト情報を更新して新たなヘッダー復元コンテキストを生成する段階と、
前記端末が、前記新たなヘッダー復元コンテキストを用いて前記新たなセルから受信される前記ＭＢＭＳサービスのためのパケットデータのヘッダー復元を遂行する段階と、
を含むことを特徴とする方法。
【請求項２】
前記端末が、前記ＩＲ−ＤＹＮパケットが受信される前に、前記ＩＲ−ＤＹＮパケットでなく前記ＭＢＭＳのためのパケットデータが受信されると、前記受信されたパケットデータを前記新たなヘッダー復元コンテキストが生成された後にヘッダーを復元するように貯蔵する段階を更に含む
ことを特徴とする請求項１記載の方法。
【請求項３】
前記端末の新たなセルへの移動を検出する段階は、前記新たなセルが前記以前セルとは異なるヘッダー復元器及びヘッダー圧縮コンテキストを使用することを確認し、前記新たなセルで使用するためのヘッダー復元器及び前記新たなヘッダー圧縮コンテキストを構成するように決定すること
を特徴とする請求項１記載の方法。
【請求項４】
前記新たなヘッダー復元コンテキストを生成する段階は、前記以前ヘッダー復元コンテキスト情報のコンテキスト識別子を前記ＩＲ−ＤＹＮパケットに含まれたコンテキスト識別子に訂正すること
を特徴とする請求項１記載の方法。
【請求項５】
前記新たなヘッダー復元コンテキストを生成する段階は、前記ＩＲ−ＤＹＮパケットに含まれたプロファイル情報によって前記ＩＲ−ＤＹＮパケットが前記以前ヘッダー復元コンテキスト情報に対応するかどうかを判断し、もし対応すると、前記以前ヘッダー復元コンテキスト情報のコンテキスト識別子を前記ＩＲ−ＤＹＮパケットに含まれたコンテキスト識別子に訂正すること
を特徴とする請求項１記載の方法。
【請求項６】
前記新たなヘッダー復元コンテキストを生成する段階は、前記ＩＲ−ＤＹＮパケットに含まれたプロファイル情報とペイロードタイプによって前記ＩＲ−ＤＹＮパケットが前記以前ヘッダー復元コンテキスト情報に対応するかどうかを判断し、もし、対応すると、前記以前ヘッダー復元コンテキスト情報のコンテキスト識別子を前記ＩＲ−ＤＹＮパケットに含まれたコンテキスト識別子に訂正すること
を特徴とする請求項４記載の方法。
【請求項７】
前記新たなヘッダー復元コンテキストを生成する段階は、前記以前ヘッダー復元コンテキスト情報のダイナミックパートを前記ＩＲ−ＤＹＮ  パケットに含まれたダイナミックヘッダーフィールドに代替すること
を特徴とする請求項４記載の方法。
【請求項８】
前記以前ヘッダー復元コンテキスト情報のオペレーティングパラメータの値を予め定められた値に設定する段階を更に含む
ことを特徴とする請求項１記載の方法。
【請求項９】
前記オペレーティングパラメータの値を設定する段階は、
前記オペレーティングパラメータのうち、前記新たなヘッダー復元器の動作モードを示すパラメータを一方向モードを示す値に設定し、
前記新たなヘッダー復元コンテキストの状態を示すパラメータを前記ダイナミックパートの更新が必要であることを示す値に設定し、
前記新たなヘッダー復元器のモード変更可否を示すパラメータをモード変更中でないことを示す値に設定すること
を特徴とする請求項８記載の方法。
【請求項１０】
マルチメディア放送／マルチキャストサービス（ＭＢＭＳ）を提供する通信システムで端末がヘッダー復元動作を再開するための方法であって、
前記ＭＢＭＳサービスを提供するために、予め設定された構成情報によって同一の複数のヘッダー圧縮器とヘッダー圧縮コンテキストを複数のセルに備える段階と、
前記ＭＢＭＳを受信する前記端末が、当該端末の前記複数のセルのうちの以前セルから新たなセルへの移動を検出する段階と、
前記端末が、前記新たなセルから伝送される圧縮したヘッダーを有するパケットデータを復元するための新たなヘッダー復元器を構成する段階と、
前記端末が、コンテキスト識別子、スタティックパート、ダイナミックパート、及びオペレーティングパラメータで構成される、前記以前セルで使用された以前ヘッダー復元コンテキスト情報をコピーして貯蔵する段階と、
前記端末が、前記以前ヘッダー復元コンテキスト情報の前記オペレーティングパラメータを予め定められる値に設定する段階と、
前記端末が、前記以前ヘッダー復元コンテキスト情報を更新するために、前記ＭＢＭＳサービスのためのパケットデータのヘッダー復元のためのダイナミックパート初期化及び更新（ＩＲ−ＤＹＮ）パケットが受信されるまで待機する段階と、
前記端末が、前記ＩＲ−ＤＹＮパケットが受信されると、前記ＩＲ−ＤＹＮパケットを用いて前記以前ヘッダー復元コンテキストのダイナミックパートを更新して新たなヘッダー復元コンテキストを生成する段階と、
前記端末が、前記新たなヘッダー復元コンテキストを用いて前記新たなセルから受信される前記ＭＢＭＳサービスのためのパケットデータのヘッダーを復元する段階と、
を遂行することを特徴とする方法。
【請求項１１】
前記端末が、前記ＩＲ−ＤＹＮパケットが受信される以前に前記ＩＲ−ＤＹＮパケットでなく前記ＭＢＭＳサービスのための他のパケットデータが受信されると、前記受信されたパケットデータを前記新たなヘッダー復元コンテキストが生成した以後にヘッダーが復元されるように貯蔵する段階を更に含むこと
を特徴とする請求項１０記載の方法。
【請求項１２】
前記オペレーティングパラメータの値を設定する段階は、
前記オペレーティングパラメータのうち、前記新たなヘッダー復元器の動作モードを示すパラメータを一方向モードを示す値に設定し、
前記新たなヘッダー復元コンテキストの状態を示すパラメータを前記ダイナミックパートの更新が必要であることを示す値に設定し、
前記新たなヘッダー復元器のモード変更可否を示すパラメータをモード変更中でないことを示す値に設定すること
を特徴とする請求項１０記載の方法。
【請求項１３】
前記予め設定された構成情報は、
前記コンテキスト識別子を含むパケットのフォーマットを示す情報が含まれたコンテキスト識別子情報と、
前記コンテキスト識別子の最大値を示す最大コンテキスト識別子と、
ヘッダーの復元に失敗したパケットの貯蔵容量を示す逆復元度と、
を含むことを特徴とする請求項１０記載の方法。
【請求項１４】
ヘッダー圧縮器とヘッダー圧縮コンテキストを複数のセルに備える段階は、
前記ＭＢＭＳサービスに含まれる複数の実時間伝送プロトコル（ＲＴＰ）ストリーム及びＲＴＰ制御プロトコル（ＲＴＣＰ）ストリームに対して、ｘ番目の使用者データプロトコル（ＵＤＰ）ポート番号を使用するＲＴＰメディアストリームの一つのヘッダー圧縮コンテキストに対してＣＩＤ（ｘ−１）＊２を割り当て、ＣＩＤ（ｘ−１）＊２を有するＲＴＰメディアに対応するＲＴＣＰストリームのヘッダー圧縮コンテキストに対してＣＩＤ（ｘ−１）＊２−１を割り当てること
を含むことを特徴とする請求項１０記載の方法。
【誤訳訂正２】
【訂正対象書類名】明細書
【訂正対象項目名】００５４
【訂正方法】変更
【訂正の内容】
【００５４】
図４は、本発明の望ましい実施形態によりセル間を移動する端末がＭＢＭＳを再開する過程を示すフローチャートである。
図４を参照すると、端末は、ヘッダー圧縮の再設定が必要であると判断されると、新たなＰＤＣＰエンティティーを構成する(ステップ４０５)。ここで、端末は、ヘッダー圧縮の再設定を多様な原因に基づいて判断することができる。その代表的な例として、端末が、異なるＰＤＣＰエンティティーを検出することによって、当該端末の新たなセルへの移動を検出する場合、又は、端末が、ＭＢＭＳサービスのチャンネルタイプの変更を検出する場合に、新たなＰＤＣＰエンティティーが構成される。チャンネルタイプの変更について、以下に説明する。
【誤訳訂正３】
【訂正対象書類名】明細書
【訂正対象項目名】０１０８
【訂正方法】変更
【訂正の内容】
【０１０８】
図９は、本発明の他実施形態により、セル間を移動する端末がＭＢＭＳを再開する過程を示すフローチャートである。
図９を参照すると、以前ＰＤＣＰエンティティーを通じて特定ＭＢＭＳサービスの提供を受けている端末は、ヘッダー圧縮の再設定が必要であると判断して新たなＰＤＣＰエンティティーを構成する(ステップ９０５)。ここで、端末は、ヘッダー圧縮の再設定を下記の様々な原因に基づいて判断可能である。その例として、端末が、異なるＰＤＣＰエンティティーを備える新たなセルを検出することによって、当該端末の新たなセルへの移動を検出する場合、又は、端末が、ＭＢＭＳサービスのチャンネルタイプの変更を検出する場合に、新たなＰＤＣＰエンティティーが構成される。端末は、以前ＰＤＣＰエンティティーのヘッダー復元器で使用したコンテキスト情報を貯蔵する(ステップ９１０)。以後、以前ＰＤＣＰエンティティーとヘッダー復元器は便利な時点に廃棄される。